(57)【特許請求の範囲】
【請求項１】
ベルト本体と、
上記ベルト本体の表面に離間して複数設けられた通気性を有する収容袋と、
上記収容袋にそれぞれ収納された可撓性の複数個の棒状スペーサーと、を有し、
上記棒状スペーサーは、長手方向に垂直な断面がコの字型であって、かつ当該断面コの字の開口が上記ベルト本体とは反対側を向くように配置され、
上記棒状スペーサーの上部の両端が面取り加工されており、上記収容袋内の長手方向に沿って複数個の上記棒状スペーサーが収納され、
前記収容袋は、前記ベルト本体に前記棒状スペーサーを固定するために設けられるものであり、前記ベルト本体に前記棒状スペーサーを配置した状態でその棒状スペーサーを覆うように前記ベルト本体に縫い付けられることを特徴とする通気性に優れたベルト。
【請求項２】
上記棒状スペーサーより円環形状に巻かれた上記ベルト本体の内面側に位置し、上記スペーサーより空気の透過性が低い合成樹脂シートを具備する請求項１に記載の通気性に優れたベルト。
【請求項３】
上記棒状スペーサーは、前後方向の圧縮力により弾性変形する請求項１又は２に記載の通気性に優れたベルト。
【請求項４】
腰用、肩用又は太もも用に用いられる請求項１〜３のいずれか一項に記載の通気性に優れたベルト。
【発明の詳細な説明】
【技術分野】
【０００１】
本発明は、通気性に優れたベルトに関し、より詳細には、棒状スペーサーを内部に取り付けることにより当該棒状スペーサーを通じて優れた通気性を確保できるベルトに関する。
【背景技術】
【０００２】
特許文献１には、ベルトと、ベルトに設けられた通気性を有する袋と、袋に収納された加撓性の板状のスペーサーと、を具備する腰ベルトが開示されている。特許文献１に開示の上記腰ベルトは、製造に容易であり、スペーサーが加撓性を有するため、作業者が腰ベルトを装着した状態でも腰を曲げて捻ったりし易く作業性に優れることが開示されている。
【先行技術文献】
【特許文献】
【０００３】
【特許文献１】特許第6294525号公報
【特許文献２】登録実用新案第3197472号公報
【発明の概要】
【発明が解決しようとする課題】
【０００４】
しかしながら、特許文献１に記載された腰ベルトについて、製造容易性と作業性の観点からさらなる改善の余地が必要である。
【０００５】
本発明は、上記の事情に鑑みてなされたものであり、その目的は、優れた製造容易性及び作業性を満たす通気性に優れたベルトを提供することである。
【課題を解決するための手段】
【０００６】
本発明のベルトは、ベルト本体と、上記ベルト本体の表面に離間して複数設けられた通気性を有する収容袋と、上記収容袋にそれぞれ収納された可撓性の複数個の棒状スペーサーと、を有し、上記棒状スペーサーは、長手方向に垂直な断面がコの字型であって、かつ当該断面コの字の開口が上記ベルト本体とは反対側を向くように配置され、上記棒状スペーサーの上部の両端が面取り加工されており、上記収容袋内の長手方向に沿って複数個の上記棒状スペーサーが収納されていることを特徴とする。
【０００７】
特許文献１に記載の腰ベルトでは、通気性に優れるものの、スペーサーが上下方向及び左右方向にそれぞれ柱体を複数配置させ、かつ柱体を連結部材で連結させるため製造が複雑であり、改善の余地があった。また、スペーサーを上下方向及び左右方向に配置していることからスペーサー部分で折り曲げることができず、特許文献１に記載の腰ベルトは上下左右に折り曲げてコンパクトに収容することができなかった。
【０００８】
これに対し、本発明の通気性に優れたベルトは、上記スペーサーを連結部材で連結させているわけではなく、複数本の棒状スペーサーが連続して配置されており、各棒状スペーサーの上部の両端が面取り加工されており、収容袋内の長手方向に沿って複数の棒状スペーサーが収容されているので、より簡単に製造できるとともに、前後方向に折り曲げることもできるため作業者がベルトを装着して作業を行ったときに作業者の動きに追随し易く、作業に支障を生じにくい。このように棒状スペーサーの長手方向に垂直な面で棒状スペーサーが切断されていることにより作業者の動きの追随しやすさを高めている。このため、本発明のベルトは特許文献１に比べて、優れた製造容易性、通気性及び作業性を全て満たすことができる。
【０００９】
上記棒状スペーサーは、圧縮力により弾性変形することが好ましい。この構成によれば、腰ベルトに前後方向の荷重がかかった状態でも、スペーサー内の気体の流路が確保される。また、荷重が無くなれば、柱体が弾性復帰する。
【００１０】
好ましくは、上記収容袋は、前後方向を向く面にメッシュ状のシートを有する。
【００１１】
上記構成によれば、上記棒状スペーサーを収納可能な袋の通気量を確保できる。
【００１２】
好ましくは、上記収容袋は、開閉可能な開口を有する。
【００１３】
上記構成によれば、開口を通じて収容袋の内部空間から棒状スペーサーが取り出し可能なので、棒状スペーサーの交換作業が容易である。また、収容袋やベルトを棒状スペーサーと分けてユーザが洗濯など行うことができる。
【００１４】
好ましくは、上記収容袋に収容されており、上記棒状スペーサーより円環形状に巻かれた上記ベルトの内面側に位置する合成樹脂シートを有する。
【００１５】
上記構成によれば、棒状スペーサー内を流通する気体が腰に当たることが防止できる。また腰ベルトの型崩れが防止できる。
【００１６】
好ましくは、上記ベルトは、円環形状に巻かれた状態の両端部を連結する留め具を有する。
【００１７】
上記構成によれば、ベルトを容易に着脱することができる。
【００１８】
好ましくは、上記ベルトは、腰用、肩用又は太もも用である。
【発明の効果】
【００１９】
本発明に係る通気性に優れたベルトは、優れた製造容易性、通気性及び作業性を全て満たす。
【図面の簡単な説明】
【００２０】
【図１】実施形態に係るベルトの斜視図である。
【図２】実施形態に係るベルトの分解図である。
【図３】実施形態に係るベルトの上面図である。
【図４】実施形態に係るベルトのＡ−Ａ断面図である。
【図５】実施形態に係るベルトの変形例の上面図である。
【図６】実施形態に係るベルトの使用状態を示す模式図である。
【発明を実施するための形態】
【００２１】
以下に、適宜図面が参照されて、本発明の好ましい実施形態が説明される。なお、以下に説明される実施形態は、本発明の一例に過ぎず、本発明の要旨を変更しない範囲で、本発明の実施形態が適宜変更できることは言うまでもない。
【００２２】
［ベルト１００の概略構成］
図１〜図４はそれぞれ、実施形態に係るベルトの斜視図、分解図、上面図及びＡ−Ａ断面図である。実施形態に係るベルト１００は、図１乃至図４に示されるように、ベルト本体１０と、収容袋２０と、棒状スペーサー３０と、シート４０と、合成樹脂シート５０と、を備えている。ベルト１００は腰用のベルトとして用いられる。以下、ベルト１００を「腰ベルト」ともいう。
【００２３】
ベルト１００において、左右方向９、上下方向７、及び前後方向８は、以下のように規定されている。平置きの状態において、腰ベルトの長尺方向（図１における左右方向）が左右方向９であり、水平面内で左右方向９に直交する方向（図１における上下方向）が上下方向７である。前後方向８は、左右方向９と上下方向７のいずれにも直交する方向である。
【００２４】
［ベルト本体１０］
図１に示されるように、ベルト本体１０は、左右方向９に長い枠１１を有する。枠１１は、収容袋２０の上下の縁であり、収容袋２０の上下の縁に布などがそれぞれ縫い付けられて構成されている。上下方向７に隔てられた一対の枠１１の間の上下方向７に沿った寸法は、左右方向９の各端部において短く、左右方向９の中央において長い。すなわち、収容袋２０は、左右方向９の中央において上下方向７に沿った寸法が長く、左右方向９の両端へ向かって当該寸法が徐々に短くなる形状である。一対の枠１１の左右方向９の両側部は、上下方向７に沿って延びており、上下の枠１１が連結している。
【００２５】
ベルト本体１０は、円環形状に巻かれた状態の両端部を連結するための留め具１２Ａ及び１２Ｂ（以下において、両者をまとめて留め具１２と表記する場合がある。）を有する。留め具１２には面ファスナーが用いられている。留め具１２Ａは枠１１の後側に縫い付けられている。留め具１２Ｂは枠１１の前側に縫い付けられている。腰ベルト１００が円環形状に巻かれた状態において、留め具１２Ａと留め具１２Ｂの接着面が互いに重なり結びつくことにより、ベルト１００の両端部は連結される。
【００２６】
［収容袋２０］
収容袋２０は、ベルト本体１０に棒状スペーサー３０を固定するために設けられるものであり、図２に示すように、ベルト本体１０に棒状スペーサー３０を等間隔に配置した状態でその棒状スペーサー３０を覆うようにベルト本体１０に縫い付けられる。
【００２７】
［棒状スペーサー３０］
棒状スペーサー３０は、長手方向に延びる棒状の合成樹脂の成形品であり、収容袋２０に収納されることでベルト１００の通気性を確保することができる。図１に示されるように、棒状スペーサー３０は、左右方向９にそれぞれ間隔を空けて並び、長手方向（前後方向８）に伸びている。棒状スペーサー３０は、内部空間を有し、長手方向に垂直な断面がコの字（Ｕ字）状であって、かつ断面コの字の開口がベルト本体１０とは反対側を向くように配置されている。そして、棒状スペーサー３０の上部の両端が面取り加工されている。図１の拡大図では、棒状スペーサー３０の上部の両端が斜めに面取り加工されている。
【００２８】
なお、図１においては、切欠き３２の形状が矩形になっているが、このような形状に限られず、丸みを帯びるように面取り加工が施されていてもよい。このように面取り加工されていることで、棒状スペーサー３０を前後方向に動かしやすくなり、棒状スペーサー３０が人体の動きに追随しやすくなるという利点がある。
【００２９】
棒状スペーサー３０は、図１に示すように面取り加工された部分を起点としてその長手方向に垂直な面で切断され、切断面３５を有している。つまり、１つの収容袋２０に複数の棒状スペーサー３０が収納されている。１つの収容袋２０に収容される複数の棒状スペーサー３０は、互いに同一の方向、（長手方向）を向いて配置されており、一見すると、収容袋２０内には１本の棒状スペーサー３０が収容されているように見えるが、この棒状スペーサー３０は長手方向に垂直な面で完全に分断されている。このように棒状スペーサー３０が切断面３５を有し、複数の棒状スペーサー３０が収容されることで、切断面３５を起点として棒状スペーサー３０を前後方向に動かしやすくなる。
【００３０】
図１に示されるように、棒状スペーサー３０は、左右方向の両端に側壁３３，３４を有する。側壁３３，３４は弾性を有し、前後方向８の圧縮力により変形し、弾性復帰する。これにより棒状スペーサー３０は前後方向８の圧縮力により弾性変形する。
【００３１】
棒状スペーサー３０は、その上面、すなわちベルト本体１０と反対側の面に開口して開口を連通し、上下方向７に沿って延びる気体流路を有する。この気体流路を通じて棒状スペーサー３０内に気体が流れることで、ベルト１００を装着した人が快適な通気性を感じることができる。
【００３２】
［シート４０］
シート４０は、前後方向８の後側に位置するメッシュ状のシート４１Ａと、前側に位置するメッシュ状のシート４１Ｂ（以下において、両者をまとめてシート４１と表記する場合がある。）と、を有する。図１及び図２に示されるように、シート４１Ａ及びシート４１Ｂは、上下端において枠１１によってそれぞれ連結されている。
【００３３】
シート４０は、メッシュの隙間を空気が通過することによって通気性を有する。シート４０が面全体に用いられることによって、収容袋２０は前後方向８に通気性を有する。
【００３４】
[合成樹脂シート５０]
図１に示されるように、合成樹脂シート５０は、シート４０内に収容されており、棒状スペーサー３０より円環形状に巻かれたベルト本体１０の内面側、すなわち前後方向８の前側に位置している。合成樹脂シート５０は、左右方向９の中央の上下端部が、Ｕ字状に折り曲げられた各枠１１により挟み込まれ、シート４０に共に縫い付けられることによって、収容袋２０に固定されている。
【００３５】
合成樹脂シート５０の左右方向９の寸法は、棒状スペーサー３０の左右方向９の寸法より若干長い。合成樹脂シート５０は、左右方向９において、ベルト本体１０の左右方向９の中央と各端部との間まで広がっている。合成樹脂シート５０は、ベルト１００を装着した使用者（作業者）が体感する程度に気体を透過させない。
【００３６】
上記実施形態では腰に装着する用のベルト１００を説明したが、本発明のベルト１００は腰に装着するもののみに限られず、肩に装着することもできるし、背中に装着することもできるし、太ももの裏側に装着することもできる。
【００３７】
図５は、太ももに適用したベルトの上面図である。図１乃至図４に示すベルトは腰に適用するものであるが、図５に示すベルトは太ももに適用するものである。このように部位によって最適な形状にすることで、体のあらゆる部位に追随し得るベルトを作成することができる。
【００３８】
［ベルト１００の使用方法］
図６は、本発明の通気性に優れたベルト１００を両肩・背中・腰・太ももに装着した場合の使用形態を示す参考図である。図６において、肩用ベルト２００は両肩から掛けて作業者の前でチャック止めできるようになっている。また腰ベルト１００は腰に巻き付けて固定できるようになっている。さらに太もも用ベルト３００は、太ももに巻き付けて固定できるようになっている。腰ベルト１００と太もも用ベルト３００は相互にゴム３９で固定されている。このため、作業者が腰を下ろしたときにはゴム３９が伸縮して腰ベルト１００及び太もも用ベルト３００がそれぞれ作業者に追随できるようになっている。
【００３９】
図６に示されるように、ベルト１００は、前側となる。つまりベルト１００の合成樹脂シート５０が使用者側（作業者側）となり、棒状スペーサー３０が外側に位置するように、使用者の腰に巻かれる。使用者は、腰ベルト１００の外側にズボンなどを着る。つまり、使用者の腰とズボンなどの間に腰ベルト１００が介在する。また、使用者は、腰ベルト１００の外側に、例えば空調服などの上着を着る。つまり、使用者の腰と上着の間に腰ベルト１００が介在する。
【００４０】
仮に上着が空調服であれば、空調服が備えるファンが作動されることによって、空調服と使用者の上半身との間に大気の気流が生じる。この気流は、腰ベルト１００の袋２０を通過して、スペーサー３０の開口４３へ流入する。スペーサー３０においては、棒状スペーサー３０の気体流路に沿って大気が流れる。これにより、空調服と使用者の上半身との間に生じた気流が、腰ベルト１００を介して、ズボンなどと使用者の下半身との間へ流れる。また、スペーサー３０の内側には合成樹脂シート５０が存在するので、スペーサー３０の気体流路３７を流れる大気が、使用者の腰に吹き付けることがない。なお、ファンの動力源は、肩用ベルト２００のポケット２１０に入れることができるようになっている。
【００４１】
［実施形態の作用効果］
実施形態に係るベルト１００によれば、棒状スペーサー３０がベルト本体１０に直接取り付けられるわけではなく、収容袋２０に収納するだけでよいので、腰ベルト１００の製造が容易である。また、特許文献１に記載の腰ベルトでは、通気性に優れるものの、板状スペーサーが上下方向及び左右方向にそれぞれ柱体を複数配置させ、かつ柱体を連結部材で連結させるため製造が複雑であった。これに対し、本発明の腰ベルト１００は、上記柱体を連結部材で連結させることなく、複数の棒状スペーサー３０を所定間隔にて配置することで折り曲げ部位３８を形成させることができるので簡単に製造することができる。
【００４２】
また、棒状スペーサー３０の長尺柱体の面取り加工した部分を起点として、前後方向８で折り曲げ可能であるため、使用者が、腰ベルト１００を装着した状態でも、腰を曲げたり捻ったりし易い。また、棒状スペーサー３０内を流れる気体は、気体流路３７に流れることとなり、通気性が優れる。
【００４３】
また、側壁３５は弾性を有するので、腰ベルト１００に前後方向８の荷重がかかった状態でも、棒状スペーサー３０内の気体の流路、すなわち気体流路を気体が流れる状態に保持される。また、荷重が無くなれば、側壁３３，３４が弾性復帰する。
【００４４】
収容袋２０の第１寸法２２及び第２寸法２３とスペーサー３０の第３寸法３９との関係から、棒状スペーサー３０の左右方向９の各端部が、収容袋２０内部の左右方向９の中央と各端部との間に留まるため、収容袋２０内における棒状スペーサー３０の左右方向９の位置決めができる。
【００４５】
収容袋２０が前後方向８を向く面にシート２１を有するので、棒状スペーサー３０を収納可能な収容袋２０の通気量を確保できる。気体の流路より体側に合成樹脂シート５０を有するので、棒状スペーサー３０内を流通する気体が腰に直接当たることを防止できる。また腰ベルト１００の収容袋２０内に棒状スペーサー３０が複数収納されることで、腰ベルト１００の型崩れを防止できる。また、合成樹脂シート５０は、保温効果があり、防寒機能を有するため、装着者の腰は冬でも暖かい。
【００４６】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。実施形態に係る腰ベルト１００の各構成要素に関して、実施の形態に応じて、適宜、構成要素の省略、置換、及び追加が行われてもよい。また、腰ベルト１００の各構成要素の形状及び大きさも、実施の形態に応じて、適宜、設定されてよい。例えば、以下の変更が可能である。
【００４７】
また、実施形態に係る腰ベルト１００は、枠１１を有するベルト本体１０を備えているが、枠１１に代えて、平板を備えるベルトであってもよい。
【００４８】
また、実施形態に係るベルト本体１０の留め具１２は面ファスナーであるが、その他の通常ベルトに用いられているバックルであってもよい。
【００４９】
また、収容袋２０はベルト本体１０に直接取り付けられていなくてもよい。例えば収容袋２０とベルト本体１０との間に他の部品が介在し、収容袋２０がベルト本体１０と連結した部品に取り付けられることにより、間接的に袋２０とベルト本体１０とが連結されていてもよい。
【００５０】
収容袋２０の内部空間の寸法は、左右方向９の中央と各端部との間の上下方向７に沿った寸法が第１寸法２２より短くてもよい。このような構成であっても、棒状スペーサー３０の左右方向９の位置決めができる。
【００５１】
また、収容袋２０は、前後方向８を向く面全体にシート２１を有するが、シート２１は袋２０の一部のみに設けられていてもよい。
【００５２】
また、シート２１のメッシュは、六角形の開口領域がハニカム状に配置されたものであってもよい。
【００５３】
また、図３に示されるように、収容袋２０に代えて、開閉可能な開口２２４を有する袋２２０を有していてもよい。開口２２４は、例えば、線ファスナー２２５により開閉される。この構成によれば、開口２２４を通じて袋２２０の内部空間からスペーサー３０が取り出し可能なので、スペーサー３０の交換作業が容易である。また、袋２２０やベルト２１０をスペーサー３０と分けてユーザが洗濯など行うことができる。
【００５４】
また、実施形態に係る棒状スペーサー３０は、前後方向８から見た平面視が長方形であるが、四隅が丸められた長方形や楕円などの他の形状であってもよい。棒状スペーサー３０の四隅が丸まっていたり、楕円形状であったり、することにより、シート４１の穴に棒状スペーサー３０の角が引っ掛かることが防がれる。
【００５５】
また、棒状スペーサー３０の厚みは特に限定されないが、５ｍｍ〜１０ｍｍが好ましい。この厚みの棒状スペーサー３０が用いられた腰ベルト１００は、使用者が巻いた際に、違和感が少ない薄さでありながら気体流路を確保できる。
【００５６】
また、実施形態に係る棒状スペーサー３０は、上下方向にそれぞれ間隔を空けて並んでいるが、上下方向に代えて左右方向９に間隔を空けて並んでいてもよい。
【００５７】
また、実施形態に係る棒状スペーサー３０は、四角柱であるが、各頂点はさらに丸みを帯びていてもよい。このような構造であれば、シート２１の穴に長尺柱体の角が引っ掛かることが防がれる。また、棒状スペーサー３０の形状は、四角柱でなくともよく、円柱、三角柱、その他の多角柱、円錐台、多角錐台であってもよい。
【００５８】
また、棒状スペーサー３０の開口は、Ｕ字又は逆Ｕ字状であってもよい。開口がロ字状である場合と比べ、長尺柱体は、前側又は後側の一方の部材が肉厚となることにより、棒状スペーサー３０の耐圧性が増す。一方、開口が真円や楕円状である場合と比べ、棒状スペーサー３０は、後側又は前側の一方の部材の表面積が狭くなることにより通気性に優れる。
【００５９】
また、棒状スペーサー３０は、側壁３３，３４を有するが、側壁３３，３４は、直径約１．５ｍｍの円柱状であってもよい。
【００６０】
また、長尺柱体の上底部材３３、下底部材３４は開口を有していてもよい。また、上底部材３３、下底部材３４は弾性を有していてもよい。
【００６１】
折り曲げ部位３８は、長尺柱体の左右方向の一端から他端にかけて切りかかれていてもよく一端から多端の間に部分的に切りかかれていてもよい。
【００６２】
また、実施形態に係るスペーサー３０の気体流路３７は、上下方向７に延びるが、斜め方向に延びてもよい。
【００６３】
図４に示されるように、合成樹脂シート５０には、少なくとも１つ以上の開口５１が形成されてもよい。合成樹脂シート５０に開口が適宜形成されることによって、使用者の腰の周囲が蒸れることを防ぐことができる。
【００６４】
図４は、腰ベルト３００の分解図である。腰ベルト３００は、腰ベルト１００の合成樹脂シート５０に複数の開口５１を設けたものである。
【００６５】
本実施形態のベルトは、腰用のベルトに限られず、例えば、肩用のベルトにも好適に使用できる。例えば、図６の正面図及び背面図に示す肩ベルト２００は、作業者の両肩及びうなじに沿って、図１に示すスペーサー３０がそれぞれ２つ又は３つ配置されていることが好ましい。
【符号の説明】
【００６６】
１０・・・ベルト本体
２０・・・収容袋
２２・・・第１寸法
２３・・・第２寸法
３０・・・棒状スペーサー
３２・・・開口
３７・・・気体流路
３８・・・長尺柱体
３９・・・第３寸法
４０・・・シート
４１Ａ・・・シート
４１Ｂ・・・シート
４１・・・上面
４２・・・下面
５０・・・合成樹脂シート
１００、２００・・・腰ベルト
【要約】
【課題】  優れた製造容易性、通気性及び作業性を全て満たすベルトを提供すること。
【解決手段】  本発明の通気性に優れたベルトは、ベルト本体と、上記ベルト本体の表面に離間して複数設けられた通気性を有する収容袋と、上記収容袋にそれぞれ収納された可撓性の棒状スペーサーと、を有し、上記棒状スペーサーは、長手方向に垂直な断面がコの字型であって、かつ当該断面コの字の開口が上記ベルト本体とは反対側を向くように配置され、上記棒状スペーサーの上部に長手方向に離間して複数の切欠きが設けられていることを特徴とする。
【選択図】  図１【図１】
0006952924.tif 000002
【図２】
0006952924.tif 000003
【図３】
0006952924.tif 000004
【図４】
0006952924.tif 000005
【図５】
0006952924.tif 000006
【図６】
0006952924.tif 000007